(57)【特許請求の範囲】
【請求項１】
機能面を表面側に露出させた状態で造営面に埋込配設される１連モジュール寸法の器体を備え、前記機能面の長手方向において映像用のコンセント部と、音声通信用のコンセント部と、データ通信用のコンセント部とを並設し、前記機能面の長手方向において前記データ通信用のコンセント部の上側位置に前記映像用のコンセント部を配置し、前記映像用のコンセント部は前記器体の裏面側において同軸ケーブルが接続される接続部を有し、前記接続部に接続された同軸ケーブルを載置するためのケーブル受け部を前記データ通信用のコンセント部に設けたことを特徴とする情報コンセント。
【請求項２】
前記接続部に接続された同軸ケーブルの引き出し方向が前記機能面の法線方向に対して斜め後方に傾斜するように、前記接続部を配置したことを特徴とする請求項１記載の情報コンセント。
【請求項３】
前記器体を大角形連用配線器具用の取付枠の開口よりも幅広に形成し、前記映像用のコンセント部を前記器体の短手方向に沿って２個並べて配置し、前記器体の長手方向両端部に前記造営面に取り付けるための取付手段を一体に設けたことを特徴とする請求項１又は２の何れか１項に記載の情報コンセント。
【請求項４】
請求項１〜３の何れか１項に記載の情報コンセントと、埋込型配線器具用の取付枠に取着された１乃至複数個の電源コンセントとを並設して構成されることを特徴とするマルチメディア配線装置。
【発明の詳細な説明】
【技術分野】
【０００１】
本発明は、情報コンセントおよびそれを用いたマルチメディア配線装置に関するものである。
【背景技術】
【０００２】
従来より、ＪＩＳ等で規格化された埋込型配線器具用の取付枠に取着可能な配線器具として電力系の電源コンセントと、映像用のＴＶコンセントや音声通信用（例えば電話用）のモジュラコンセントやデータ通信用（例えばＬＡＮ用）のモジュラコンセントとが提供されている（例えば特許文献１参照）。
【０００３】
これらのコンセントは、例えば取付枠に３個まで取付可能な１個モジュール寸法または３個モジュール寸法に形成され、電力系のコンセント（電源コンセント）と情報系のコンセント（映像用のＴＶコンセント、音声通信用のモジュラコンセント、データ通信用のモジュラコンセント）とを３連の取付枠に並設した、所謂マルチメディアコンセントが提供されていた。尚、電力系のコンセントと情報系のコンセントの間には、内線規定により絶縁セパレータなどの堅牢な隔壁を設ける必要があるため、電力系の電源コンセントを１連の取付枠に配設するとともに、他の２連の取付枠に映像用のＴＶコンセントと通信用（音声通信用およびデータ通信用）のモジュラコンセントをそれぞれ配設し、電力系のコンセントと情報系のコンセントの間に絶縁セパレータを配置していた。
【特許文献１】特開２００５−１１７５４６号公報（段落［００１５］−［００１６］、及び、第３図）
【発明の開示】
【発明が解決しようとする課題】
【０００４】
上述のマルチメディア配線装置では、３連の取付枠に電力系のコンセントと情報系のコンセントを取り付けていた。ところで、ツーバイフォー工法を用いた建築物の準耐火構造では、スイッチボックスを鋼製とすることや、スイッチボックスの開口部の面積が１００ｃｍ２を越える場合は不燃性断熱材を充填するなどの防火被覆を設けることが要求されている。取付枠が２連の場合は開口面積が１００ｃｍ２以下となるので防火被覆を設ける必要はないが、従来のマルチメディア配線装置は３連モジュールの大きさであり、開口面積が１００ｃｍ２を越えるため防火被覆を設ける必要があり、施工性が悪化するという問題があった。
【０００５】
本発明は上記問題点に鑑みて為されたものであり、その目的とするところは、映像用とデータ通信用と音声通信用のコンセントを一体化した１連モジュール寸法の情報コンセントおよびそれを用いたマルチメディア配線装置を提供することにある。
【課題を解決するための手段】
【０００６】
請求項１の発明は、機能面を表面側に露出させた状態で造営面に埋込配設される１連モジュール寸法の器体を備え、機能面の長手方向において映像用のコンセント部と、音声通信用のコンセント部と、データ通信用のコンセント部とを並設し、機能面の長手方向においてデータ通信用のコンセント部の上側位置に映像用のコンセント部を配置し、映像用のコンセント部は器体の裏面側において同軸ケーブルが接続される接続部を有し、接続部に接続された同軸ケーブルを載置するためのケーブル受け部をデータ通信用のコンセント部に設けたことを特徴とする。
【０００８】
請求項２の発明は、接続部に接続された同軸ケーブルの引き出し方向が機能面の法線方向に対して斜め後方に傾斜するように、接続部を配置したことを特徴とする。
【０００９】
請求項３の発明は、器体を大角形連用配線器具用の取付枠の開口よりも幅広に形成し、映像用のコンセント部を器体の短手方向に沿って２個並べて配置し、器体の長手方向両端部に造営面に取り付けるための取付手段を一体に設けたことを特徴とする。
【００１０】
請求項４の発明は、請求項１〜３の何れか１項に記載の情報コンセントと、埋込型配線器具用の取付枠に取着された１乃至複数個の電源コンセントとを並設して構成されることを特徴とする。
【発明の効果】
【００１１】
請求項１の発明によれば、器体が１連モジュールの大きさに形成された情報コンセントに、映像用のコンセント部、音声通信用のコンセント部およびデータ通信用のコンセント部をそれぞれ配置しているので、情報コンセントと電源コンセントとで構成されるマルチメディア配線装置を２連モジュールの大きさで構成することができる。したがって、マルチメディア配線装置を埋込配設するために使用するスイッチボックスの開口部の面積を１００ｃｍ２以下に抑えることができるから、ツーバイフォー工法を用いて建築される建築物の準耐火構造を満たすためにスイッチボックス内に不燃性断熱材を充填する必要がなく、施工性を向上させることができるという効果がある。
【００１２】
また、接続部に接続された同軸ケーブルをケーブル受け部に載置することによって、同軸ケーブルが下方に垂れ下がることがないから、情報コンセントをスイッチボックスに取り付ける際に同軸ケーブルがスイッチボックスのねじ部に干渉することがなく、取付作業性を向上させることができるという効果がある。
【００１３】
請求項２の発明によれば、同軸ケーブルが接続される接続部を器体の機能面の法線方向に対して傾斜させて配置しているから、接続部に接続された同軸ケーブルの配線方向にデータ通信用のコンセント部が配置されている場合でも、同軸ケーブルがデータ通信用のコンセント部に干渉するのを防止でき、その結果、施工性を向上させることができるという効果がある。
【００１４】
大角形連用配線器具用の取付枠を用いた場合には、機能面を取付枠の開口に挿通させるため、機能面の大きさが開口寸法により制限されることになるが、請求項３の発明によれば、造営面に取り付けるための取付手段を器体と一体に設けることで取付枠を用いなくてもいいから、機能面の大きさが開口寸法に制限されなくなり、取付枠を用いた場合に比べて機能面を幅広に形成することができるので、１連モジュールの大きさに形成された器体の短手方向に沿って映像用のコンセント部を２個並設した情報コンセントを実現することができるという効果がある。
【００１５】
請求項４の発明によれば、マルチメディア配線装置を２連モジュールの大きさで構成することができるので、マルチメディア配線装置を埋込配設するために使用するスイッチボックスの開口部の面積を１００ｃｍ２以下に抑えることができ、ツーバイフォー工法を用いて建築される建築物の準耐火構造を満たすためにスイッチボックス内に不燃性断熱材を充填する必要がないから、施工性を向上させることができるという効果がある。
【発明を実施するための最良の形態】
【００１６】
本発明に係る情報コンセントおよびこの情報コンセントを用いたマルチメディア配線装置の実施形態を図面に基づいて説明する。ここに、本発明に係るマルチメディア配線装置は、例えば住居などの壁面（造営面）に設けた埋込孔（図示せず）を通して壁面に埋込配設される。
【００１７】
（実施形態１）
図１および図２は情報コンセント１の一実施形態を示し、情報コンセント１の器体２は、前面側のカバー３と、カバー３の後面に取着されるボディ４とで構成され、情報コンセント１を壁面に取り付けるための取付枠１６に取着される。なお、以下の説明では特に断りが無いかぎり、図１（ａ）に示す向きにおいて上下左右の方向を規定し、図１（ｂ）中の左側を前側、右側を後側として説明を行う。
【００１８】
取付枠１６は、例えばＪＩＳ（ＪＩＳ  Ｃ  ８３７５）で規格化されたものであり、中央部に後述する器体２の突台部５を前面側に露出させるための開口窓１６ａを有する略矩形枠状に形成されている。この取付枠１６の左側の側壁には一対の係止孔１６ｅ、１６ｅが上下方向に沿って３組設けられ、右側の側壁には係止片１６ｄが上下方向に沿って３個設けられている。また、開口窓１６ａを間にして上下方向両端側には取付枠１６をスイッチボックス（図示せず）に固定するためのボックスねじを挿通する長孔状のねじ挿通孔１６ｂ、１６ｂと、前面側にプレート枠（図示せず）を螺着するためのねじ孔１６ｃ、１６ｃとが設けられている。
【００１９】
カバー３は後面側が開口した略箱状の合成樹脂成型品からなり、カバー３の前面には前方に突出する突台部５が一体に形成され、突台部５の前面がコンセント部の配置される機能面となっている。また、カバー３の左側の側壁には、取付枠１６の左側壁に設けた一対の係止孔１６ｅ、１６ｅに係合する一対の係止突起３ｂ、３ｂが上下方向に沿って３組設けられ、右側の側壁には取付枠１６の右側壁に設けた各係止片１６ｄが係合する係止溝（図示せず）が上下方向に３個設けられている。
【００２０】
ボディ４は前面側が開口した略箱状の合成樹脂成型品からなり、左右両側壁の前面側には側方に突出するフランジ４ａが突設されており、カバー３の左右両側壁に設けた組立爪３ａをフランジ４ａに設けた結合孔（図示せず）に係合させることで、ボディ４がカバー３に結合されるようになっている。
【００２１】
而して、取付枠１６に取着された器体２は、図３に示すように取付枠１６の開口窓１６ａと略同じ寸法に形成された窓孔４４から機能面（突台部５の前面）を前面側に露出させた状態で造営面に埋込配設される。
【００２２】
器体２前面の機能面（突台部５の前面）には長手方向（図１（ａ）中の上下方向）における両側部および中央部にコンセント部の取付位置を３個設けており、３個の取付位置に、映像用のコンセント部と、音声通信用のコンセント部と、データ通信用のコンセント部とをそれぞれ配置している。なお、以下の説明では、機能面に設けた３個の取付位置を施工状態における上、中、下の取付位置として説明する。
【００２３】
ここで、図１〜図３に示す情報コンセント１では、上側の取付位置に映像用のコンセント部としてＦ型接栓１１を配置するとともに、中央の取付位置に音声通信用のコンセント部として電話用モジュラジャック１４（以下、モジュラジャックという）を配置し、下側の取付位置にデータ通信用のコンセント部としてＬＡＮ用モジュラジャック１５（以下、モジュラジャックという）を配置している。
【００２４】
すなわち、器体２前面の上側の取付位置に円柱状の凹所５ａを設けるとともに、凹所５ａに、テレビなどの映像機器からの同軸ケーブルの末端に設けた同軸コネクタ（図示せず）が接続されるＦ型接栓１１を配設している。このＦ型接栓１１は、カバー３の裏面側に取着される接続ターミナル１２の前面側に設けられ、凹所５ａの底部に設けた貫通孔（図示せず）を通して前面側に突出しており、接続ターミナル１２の後部下面には、造営面の裏側に配線された同軸ケーブルの末端の同軸コネクタ（図示せず）が接続されるＦ型接栓１３（接続部）が突設されている。ここにおいて、Ｆ型接栓１３に接続される同軸ケーブルが後述の端子台１４ｃに接続される通信線に干渉しないように、Ｆ型接栓１３を右斜め下方（図１（ｃ）中の左斜め下方）に傾斜させて配置するとともに、端子台１４ｃを左側（同軸ケーブルの引き出し方向と反対側）に寄せて配置している。
【００２５】
また、器体２前面の中央の取付位置には電話用（例えばＲＪ−４５）のモジュラジャック１４が設けられている。このモジュラジャック１４は、電話用のモジュラプラグ（図示せず）が挿入されるプラグ挿入口１４ａを備えるとともに、プラグ挿入口１４ａを通して器体２内部に挿入されるモジュラプラグの複数本のコンタクトにそれぞれ電気的に接続される複数の接触子（図示せず）を器体２の内部に収納して構成される。プラグ挿入口１４ａには、プラグ挿入口１４ａを開閉自在に閉塞する開閉扉ブロック１４ｂが設けられている。開閉扉ブロック１４ｂは、前後に重ねて配置され上下方向においてスライド移動自在に設けられた２枚の扉体を有し、一方の扉体に設けた摘みを上側に操作することでプラグ挿入口１４ａを開放するようになっている。なお、開閉扉ブロック１４ｂの構造は従来周知であるので、図示および説明は省略する。また、ボディ４の背面にはプラグ挿入口１４ａの裏側付近に端子台１４ｃが設けられ、端子台１４ｃの内部には上記の各接触子にそれぞれ電気的に接続された複数の速結端子（図示せず）が収納されている。端子台１４ｃの後面には各々の速結端子に対応する部位に電線挿入口１４ｄが開口しており、造営面の裏側に配線された音声通信用の通信線の被覆を剥き、その芯線を電線挿入口１４ｄに挿入すると、端子台１４ｃ内部に挿入された通信線の芯線が速結端子に鎖錠されて抜けが防止されるとともに、電気的に接続されるようになっている。
【００２６】
さらに、器体２前面の下側の取付位置にはＬＡＮ用（例えばエンハンスドカテゴリ５）のモジュラジャック１５が設けられている。このモジュラジャック１５は、ＬＡＮ用のモジュラプラグ（図示せず）が挿入されるプラグ挿入口１５ａを備えるとともに、プラグ挿入口１５ａを通して器体２内部に挿入されるモジュラプラグの複数本のコンタクトにそれぞれ電気的に接続される複数の接触子（図示せず）を器体２の内部に収納して構成される。プラグ挿入口１５ａには、プラグ挿入口１５ａを開閉自在に閉塞する開閉扉ブロック１５ｂが設けられている。開閉扉ブロック１５ｂは、前後に重ねて配置され上下方向においてスライド移動自在に設けられた２枚の扉体を有し、一方の扉体に設けた摘みを上側に操作することでプラグ挿入口１５ａを開放するようになっている。なお、開閉扉ブロック１５ｂの構造は従来周知であるので、図示および説明は省略する。
【００２７】
また、ボディ４の背面にはプラグ挿入口１５ａの裏側位置に端子台ブロック１５ｃが着脱自在に取り付けられ、この端子台ブロック１５ｃの下面には上述した複数の接触子にそれぞれ電気的に接続されたＩＤＣ端子と呼ばれる複数の圧接端子（図示せず）が配設されている。さらに、端子台ブロック１５ｃの下面には、圧接端子を開閉自在に覆う端子カバー１５ｄが着脱自在に取着されている。而して、造営面の裏側に配線されたデータ通信用の通信線を端子台ブロック１５ｃに接続する際には、まずボディ４から端子台ブロック１５ｃを取り外すとともに、端子台ブロック１５ｃから端子カバー１５ｄを取り外す。その後、通信線を対応する圧接端子の位置に整列させて、端子カバー１５ｄを端子台ブロック１５ｃに近づけると、通信線が端子カバー１５ｄにより圧接端子に押圧されて通信線の被覆が剥がれ、通信線の芯線が圧接端子に電気的に接続されるとともに、圧接端子に挟持されて抜けが防止される。そして最後に、端子台ブロック１５ｃをボディ４に取り付けると、通信線の接続が完了する。
【００２８】
さらに、端子台ブロック１５ｃの下側には、端子台ブロック１５ｃの後面よりも後方に突出する矩形板状のケーブル受け部１５ｅが突設されており、ケーブル受け部１５ｅの左右両端部には三角形状のリブ１５ｆ、１５ｆが一体に設けられている。而して、Ｆ型接栓１３に接続された同軸ケーブル１７は、図４に示すように端子台ブロック１５ｃと干渉しないように左斜め下方に導出されるとともに器体２の左側壁に沿って下向きに配線され、さらに先端側が上向きに曲げ返されて器体２の右側壁に沿って上方に配線される。したがって、ケーブル受け部１５ｅの上面には同軸ケーブル１７の曲げ部が載置されることになる。なお、上記のリブ１５ｆ、１５ｆはケーブル受け部１５ｅを補強するためのものであり、ケーブル受け部１５ｅは載置された同軸ケーブル１７からの力により破損しない強度が確保されている。
【００２９】
このように、図１〜図３に示す情報コンセント１では、機能面（突台部５の前面）の大きさが、３個モジュール寸法（取付枠１６に３個まで取着可能な大きさを１個モジュール寸法といい、１個モジュール寸法の配線器具を短幅方向に３個並べた大きさを３個モジュール寸法という）の大角形連用配線器具の機能面と略同じ寸法に形成されており、この機能面に、映像用のコンセント部を構成するＦ型接栓１１を１個、音声通信用のコンセント部を構成する電話用のモジュラジャック１４を１個、データ通信用のコンセント部を構成するＬＡＮ用のモジュラジャック１５を１個設けているので、図３に示すように１連の取付枠（図示せず）に取り付けられた１個モジュール寸法の３個の電源コンセント３１とともにマルチメディア配線装置Ａを構成した場合でも、マルチメディア配線装置Ａを２連モジュールの寸法に形成することができる。したがって、情報コンセント１および電源コンセント３１を埋込配設するために使用するスイッチボックス（図示せず）の開口部の面積を１００ｃｍ２以下に抑えることができるから、ツーバイフォー工法を用いて建築される建築物の準耐火構造を満たすためにスイッチボックス内に不燃性断熱材を充填する必要がなく、施工性を向上させることができる。
【００３０】
また、ＬＡＮ用のモジュラジャック１５の上側位置にＦ型接栓１１を配置するとともに、ＬＡＮ用のモジュラジャック１５の端子台ブロック１５ｃの下側にケーブル受け部１５ｅを設けており、同軸コネクタを介してＦ型接栓１３に接続された同軸ケーブル１７をケーブル受け部１５ｅに載置させることによって、同軸ケーブル１７が下方に垂れ下がることがないから、情報コンセント１をスイッチボックスに取り付ける際に同軸ケーブル１７がスイッチボックスのねじ部に干渉することがなく、取付作業性を向上させることができる。
【００３１】
（実施形態２）
本発明の実施形態２を図５〜図８に基づいて説明する。実施形態１では、映像用のコンセント部を構成するＦ型接栓１１を突台部５の前面（機能面）に１個配置した場合について説明したが、本実施形態ではＦ型接栓１１を左右に２個並べて配置している。なお、以下の説明において、実施形態１と同様の構成要素には同一の符号を付して説明は省略する。
【００３２】
情報コンセント１の器体２は、前面側のカバー３と、カバー３の後面に取着されるボディ４とで構成され、カバー３の上下両側壁には上下方向に延出する取付片６がそれぞれ突設されており、各取付片６には器体２をスイッチボックス（図示せず）に固定するためのボックスねじを挿通する長孔状のねじ挿通孔６ａと、前面側にプレート枠（図示せず）を螺着するためのねじ孔６ｂとが設けられている。すなわち、本実施形態では、造営面に取り付けるための取付片６をカバー３（器体）と一体に設けることで、大角形連用配線器具用の取付枠を省略している。ここに、取付片６により取付手段が構成されている。
【００３３】
而して、情報コンセント１の器体２は、図７に示すように大角形連用配線器具用の１連の取付枠（図示せず）の開口よりも幅広の窓孔４３を有する専用化粧枠４２の窓孔４３から機能面（突台部５の前面）を露出させた状態で造営面に埋込配設される。
【００３４】
ここで、図５〜図７に示す情報コンセント１では、上側の取付位置に映像用のコンセント部としてＦ型接栓１１を左右に２個並べて配置するとともに、中央の取付位置に音声通信用のコンセント部として電話用モジュラジャック１４を配置し、下側の取付位置にデータ通信用のコンセント部としてＬＡＮ用モジュラジャック１５を配置している。なお、電話用モジュラジャック１４およびＬＡＮ用モジュラジャック１５については実施形態１と同様であり、詳細な説明については省略する。
【００３５】
器体２前面の上側の取付位置には角孔状の２個の凹所５ａ、５ａが左右に設けられ、各々の凹所５ａ、５ａに、テレビなどの映像機器からの同軸ケーブルの末端に設けた同軸コネクタ（図示せず）が接続されるＦ型接栓１１、１１を配設している。両Ｆ型接栓１１、１１は、横長の直方体状に形成された接続ターミナル１２の器体の前面側に設けられ、対応する凹所５ａの底部に設けた貫通孔（図示せず）を通して前面側にそれぞれ突出しており、接続ターミナル１２の後部下面には、造営面の裏側に配線された同軸ケーブルの末端の同軸コネクタ（図示せず）が接続されるＦ型接栓１３（接続部）が突設されている。ここにおいて、Ｆ型接栓１３は、右側（図５（ｃ）中の左側）に設けられており、さらに同軸コネクタを介して接続された同軸ケーブルの引き出し方向が器体２前面の法線方向に対して斜め後方に傾斜するように配置されている。また、Ｆ型接栓１３に接続される同軸ケーブルが端子台１４ｃに接続される通信線と干渉しないように、Ｆ型接栓１３を右側（図５（ｃ）中の左側）に寄せて配置するとともに端子台１４ｃを左側（図５（ｃ）中の右側）に寄せて配置している。而して、Ｆ型接栓１３に接続された同軸ケーブル１７は、図８に示すように端子台ブロック１５ｃと干渉しないように斜め後方に導出されるとともに器体２の左側壁に沿って下向きに配線され、さらに先端側が上向きに曲げ返されて器体２の右側壁に沿って上方に配線される。したがって、ケーブル受け部１５ｅの上面には同軸ケーブル１７の曲げ部が載置されることになる。
【００３６】
ここにおいて、大角形連用配線器具用の取付枠を用いた場合には、機能面を取付枠の開口に挿通させるため、機能面の大きさが開口寸法により制限されることになるが、図５〜図７に示す情報コンセント１では、造営面に取り付けるための取付片６をカバー３（器体）と一体に設けることで取付枠を用いなくてもいいから、機能面の大きさが開口寸法に制限されなくなり、取付枠を用いた場合に比べて機能面（突台部５の前面）を幅広に形成することができるので、１連モジュールの大きさに形成された器体２の左右方向（短手方向）に沿ってＦ型接栓１１を２個並設した情報コンセント１を実現することができる。また、同軸コネクタを介して接続された同軸ケーブルの引き出し方向が器体２前面の法線方向に対して斜め後方に傾斜するように、Ｆ型接栓１３を配置しているから、Ｆ型接栓１３に接続された同軸ケーブルを配線する際に端子台ブロック１５ｃに干渉するのを防止でき、その結果、施工性を向上させることができる。
【００３７】
ここで、突台部５の前面の寸法は３個モジュール（１連モジュール寸法）の大角形連用配線器具と略同じ寸法に形成されているので、大角形連用配線器具用の取付枠の窓孔よりも大きな窓孔４１を有するプレート４０を前面側に取り付ける場合には、外形寸法が窓孔４１と略同じ寸法に形成されるとともに中央部に突台部５を挿通させる窓孔４３が形成された専用化粧枠４２を情報コンセント１に取り付ければよい（図５および図６参照）。
【００３８】
なお、実施形態１、２では、突台部５の前面（機能面）に上から映像用のコンセント部、音声通信用のコンセント部、データ通信用のコンセント部の順に配置しているが、コンセント部の配置は実施形態１、２に限定されるものではなく、映像用のコンセント部がデータ通信用のコンセント部の上側位置に配置されるようなレイアウトであればよい。
【００３９】
また、実施形態２では、映像用のコンセント部を構成するＦ型接栓１１を２個並べて配置しているが、例えば音声通信用のコンセント部を構成する電話用モジュラジャック１４やデータ通信用のコンセント部を構成するＬＡＮ用モジュラジャック１５を２個並べて配置してもよい。さらに、実施形態２では、１個のＦ型接栓１３に対して２個のＦ型接栓１１を設け、２個のＦ型接栓１１から同一の映像信号（例えば地上波放送信号）を出力するように構成しているが、各Ｆ型接栓１１に対してＦ型接栓１３をそれぞれ設け、２個のＦ型接栓１３に別々の映像信号（例えば一方を地上波放送用、他方をＣＳ放送用、或いは、一方を地上波放送用、他方をＢＳ放送用）を入力するように構成してもよい。
【図面の簡単な説明】
【００４０】
【図１】実施形態１の情報コンセントを示し、（ａ）は正面図、（ｂ）は右側面図、（ｃ）は背面図である。
【図２】同上を示し、（ａ）は前面側から見た斜視図、（ｂ）は後面側から見た斜視図である。
【図３】同上を用いたマルチメディア配線装置の正面図である。
【図４】同上に同軸ケーブルを接続した状態を示し、（ａ）は右側面図、（ｂ）は背面図である。
【図５】実施形態２の情報コンセントを示し、（ａ）は正面図、（ｂ）は右側面図、（ｃ）は背面図である。
【図６】同上を示し、（ａ）は前面側から見た斜視図、（ｂ）は後面側から見た斜視図である。
【図７】同上を用いたマルチメディア配線装置の正面図である。
【図８】同上に同軸ケーブルを接続した状態を示し、（ａ）は右側面図、（ｂ）は背面図である。
【符号の説明】
【００４１】
１  情報コンセント
２  器体
５  突台部
１１  Ｆ型接栓（映像用のコンセント部）
１４  電話用モジュラジャック（音声通信用のコンセント部）
１５  ＬＡＮ用モジュラジャック（データ通信用のコンセント部）
【図１】
0004977061.tif 000002
【図２】
0004977061.tif 000003
【図３】
0004977061.tif 000004
【図４】
0004977061.tif 000005
【図５】
0004977061.tif 000006
【図６】
0004977061.tif 000007
【図７】
0004977061.tif 000008
【図８】
0004977061.tif 000009